(57)【要約】【課題】農作物の生産者がパソコンの操作に慣れていない場合でも、作業内容の理解が容易な作業日誌を速やかに作成することができるようにする。【解決手段】タッチモニタの項目選択領域（１）に表示されている入力項目に対するユーザタッチを検知すると、入力候補情報記憶部１からユーザタッチされた入力項目に対応する入力候補情報を取得する入力候補情報取得部５と、その入力候補情報をタッチモニタのリスト表示領域（２）に表示する入力候補情報表示処理部６とを設け、選択情報監視部７が入力候補情報に対するユーザタッチを検知すると、ユーザタッチされた入力候補情報を入力項目に設定する。【選択図】図１
2007199853.tif 000002
【特許請求の範囲】
【請求項１】
作業日誌に記録する入力項目毎に、入力可能な入力候補情報を記憶している入力候補情報記憶手段と、各種の入力項目をタッチモニタの項目選択領域に表示する入力項目表示手段と、上記タッチモニタの項目選択領域に表示されている入力項目に対するユーザタッチを監視して、上記入力候補情報記憶手段に記憶されている入力候補情報の中からユーザタッチされた入力項目に対応する入力候補情報を取得する入力候補情報取得手段と、上記入力候補情報取得手段により取得された入力候補情報を上記タッチモニタのリスト表示領域に表示する入力候補情報表示手段と、上記タッチモニタのリスト表示領域に表示されている入力候補情報に対するユーザタッチを監視して、ユーザタッチされた入力候補情報を当該入力項目に設定する情報設定手段とを備えた作業日誌作成装置。
【請求項２】
入力項目が数値を入力する項目である場合、入力候補情報表示手段が入力候補情報の代わりに数値の入力を受け付けるテンキーをタッチモニタのリスト表示領域に表示し、情報設定手段が上記テンキーにより入力が受け付けられた数値を入力項目に設定することを特徴とする請求項１記載の作業日誌作成装置。
【請求項３】
入力項目及び入力候補情報の選択操作を音声案内する音声ガイダンス手段を設けたことを特徴とする請求項１記載の作業日誌作成装置。
【請求項４】
情報設定手段は、入力候補情報を入力項目に設定すると、その入力候補情報に関連する情報をネットワーク経由で取得し、その情報を他の入力項目に設定することを特徴とする請求項１から請求項３のうちのいずれか１項記載の作業日誌作成装置。
【請求項５】
作業日誌に記録する各種の入力項目をタッチモニタの項目選択領域に表示する入力項目表示処理手順と、上記タッチモニタの項目選択領域に表示されている入力項目に対するユーザタッチを監視して、入力項目毎に入力可能な入力候補情報を記憶しているメモリから、ユーザタッチされた入力項目に対応する入力候補情報を取得する入力候補情報取得処理手順と、上記入力候補情報取得処理手順により取得された入力候補情報を上記タッチモニタのリスト表示領域に表示する入力候補情報表示処理手順と、上記タッチモニタのリスト表示領域に表示されている入力候補情報に対するユーザタッチを監視して、ユーザタッチされた入力候補情報を当該入力項目に設定する情報設定処理手順とをコンピュータに実行させるための作業日誌作成プログラム。
【発明の詳細な説明】
【技術分野】
【０００１】
この発明は、例えば、農作物の生産者が作業日誌を作成するに際して、その作業日誌の作成を支援する作業日誌作成装置及び作業日誌作成プログラムに関するものである。
【背景技術】
【０００２】
例えば、農作物の生産者は、一般的に、日々の作業内容を手書きでノートなどの用紙に記録する。
農作物の生産者は、例えば、日々の作業内容をノートに記録すると、ファクシミリ装置を使用して、日々の作業内容を管理者（例えば、農業組合）に送信する。
管理者は、生産者から日々の作業内容を受け取ると、その作業内容をコンピュータに代行入力する。
これにより、管理者のコンピュータには、各生産者の作業内容が登録されるが、ノートに記録されている文字等が丁寧に書かれていない場合、管理者が作業内容を容易に読み取ることができず、迅速かつ正確に作業内容を代行入力できないことがある。
【０００３】
これに対して、農作物の生産者がパソコン（作業日誌作成装置）を操作して、日々の作業内容を入力し、そのパソコンから電子メールで日々の作業内容を管理者のコンピュータに送信するようにしているものもある。
なお、作業日誌を作成する作業日誌作成装置ではないが、携帯端末が位置情報などをホストコンピュータに送信し、ホストコンピュータが位置情報などに基づいて日報を作成する装置が以下の特許文献１に開示されている。
【０００４】
【特許文献１】特開平１０−２６０９９４号公報（段落番号［０００６］、図１）
【発明の開示】
【発明が解決しようとする課題】
【０００５】
従来の作業日誌作成装置は以上のように構成されているので、農作物の生産者がパソコンの操作に慣れていない場合、作業内容の入力に多くの時間を要し、効率的に作業日誌を作成することができない課題があった。
また、農作物の生産者毎に、作業日誌のフォーマットが統一されていないため、他の生産者が作業日誌を見ても、作業内容を容易に理解することができないことがある課題もあった。
【０００６】
この発明は上記のような課題を解決するためになされたもので、農作物の生産者がパソコンの操作に慣れていない場合でも、作業内容の理解が容易な作業日誌を速やかに作成することができる作業日誌作成装置及び作業日誌作成プログラムを得ることを目的とする。
【課題を解決するための手段】
【０００７】
この発明に係る作業日誌作成装置は、タッチモニタの項目選択領域に表示されている入力項目に対するユーザタッチを監視して、入力候補情報記憶手段に記憶されている入力候補情報の中からユーザタッチされた入力項目に対応する入力候補情報を取得する入力候補情報取得手段と、その入力候補情報取得手段により取得された入力候補情報をタッチモニタのリスト表示領域に表示する入力候補情報表示手段とを設け、情報設定手段がタッチモニタのリスト表示領域に表示されている入力候補情報に対するユーザタッチを監視して、ユーザタッチされた入力候補情報を入力項目に設定するようにしたものである。
【発明の効果】
【０００８】
この発明によれば、タッチモニタの項目選択領域に表示されている入力項目に対するユーザタッチを監視して、入力候補情報記憶手段に記憶されている入力候補情報の中からユーザタッチされた入力項目に対応する入力候補情報を取得する入力候補情報取得手段と、その入力候補情報取得手段により取得された入力候補情報をタッチモニタのリスト表示領域に表示する入力候補情報表示手段とを設け、情報設定手段がタッチモニタのリスト表示領域に表示されている入力候補情報に対するユーザタッチを監視して、ユーザタッチされた入力候補情報を入力項目に設定するように構成したので、農作物の生産者がパソコンの操作に慣れていない場合でも、作業内容の理解が容易な作業日誌を速やかに作成することができる効果がある。
【発明を実施するための最良の形態】
【０００９】
実施の形態１．
図１はこの発明の実施の形態１による作業日誌作成装置を示す構成図であり、図において、入力候補情報記憶部１は作業日誌に記録する入力項目毎に、入力可能な入力候補情報（例えば、生産者名、圃場名称、作業者、作業名、機械名、目的名、効果名、資材区分、資材名など）を記憶しているメモリである。なお、入力候補情報記憶部１は入力候補情報記憶手段を構成している。
タッチモニタ２は例えば農作物の生産者が指や専用ペンで画面に触れると、その触れた位置を検知するタッチセンサ２ａが内蔵されている表示装置である。
【００１０】
入力項目表示処理部３は各種の入力項目をタッチモニタ２の項目選択領域（１）に表示する処理を実施する。なお、入力項目表示処理部３は入力項目表示手段を構成している。
選択項目監視部４はタッチモニタ２に内蔵されているタッチセンサ２ａの検知信号を入力することにより、タッチモニタ２の項目選択領域（１）に表示されている入力項目に対するユーザタッチを検知する。
入力候補情報取得部５は入力候補情報記憶部１に記憶されている入力候補情報の中から、選択項目監視部４によりユーザタッチが検知された入力項目に対応する入力候補情報を取得する。
なお、選択項目監視部４及び入力候補情報取得部５から入力候補情報取得手段が構成されている。
【００１１】
入力候補情報表示処理部６は入力候補情報取得部５により取得された入力候補情報をタッチモニタ２のリスト表示領域（２）に表示する処理を実施する。なお、入力候補情報表示処理部６は入力候補情報表示手段を構成している。
選択情報監視部７はタッチモニタ２に内蔵されているタッチセンサ２ａの検知信号を入力することにより、タッチモニタ２のリスト表示領域（２）に表示されている入力候補情報に対するユーザタッチを検知する。
情報設定処理部８は選択情報監視部７によりユーザタッチが検知された入力候補情報を当該入力項目に設定する処理を実施する。
設定情報記憶部９は情報設定処理部８により設定された各入力項目の入力候補情報を記憶するメモリである。
なお、選択情報監視部７、情報設定処理部８及び設定情報記憶部９から情報設定手段が構成されている。
【００１２】
音声ガイダンス部１０は「音声ガイド」ボタンが押されると、入力項目や入力候補情報の選択操作を案内する音声メッセージをスピーカ１１に出力する処理を実施する。
なお、音声ガイダンス部１０及びスピーカ１１から音声ガイダンス手段が構成されている。
図２はこの発明の実施の形態１による作業日誌作成装置の処理内容を示すフローチャートである。
【００１３】
図１の例では、作業日誌作成装置の構成要素である入力項目表示処理部３、選択項目監視部４、入力候補情報取得部５、入力候補情報表示処理部６、選択情報監視部７、情報設定処理部８及び音声ガイダンス部１０がそれぞれ専用のハードウェア（例えば、ＭＰＵを実装している半導体集積回路基板など）で構成されていることを想定しているが、作業日誌作成装置がコンピュータで構成されている場合、入力項目表示処理部３、選択項目監視部４、入力候補情報取得部５、入力候補情報表示処理部６、選択情報監視部７、情報設定処理部８及び音声ガイダンス部１０の処理内容を記述している作業日誌作成プログラムをコンピュータのメモリに格納し、コンピュータのＣＰＵが当該メモリに格納されている作業日誌作成プログラムを実行するようにしてもよい。
【００１４】
次に動作について説明する。
農作物の生産者が作業日誌を作成するに際して作業日誌作成装置を起動すると、作業日誌作成装置のタッチモニタ２には、図３に示すように、農作物の生産者を指定する生産者選択画面が表示される。
即ち、作業日誌作成装置の入力項目表示処理部３は、生産者を指定する際に使用する入力項目をタッチモニタ２の項目選択領域（１）に表示する（ステップＳＴ１）。
【００１５】
図３の例では、入力項目Ａ、入力項目Ｂ、入力項目Ｃが項目選択領域（１）に表示されており、例えば、生産者の名前が「三菱○○」であるとき、生産者が「ま行」と記されている入力項目Ａに触れると、入力候補情報として、生産者名の頭文字が「ま行」の生産者のリストがタッチモニタ２のリスト表示領域（２）に表示される。
即ち、作業日誌作成装置の選択項目監視部４は、農作物の生産者である作業日誌作成者が「ま行」と記されている入力項目Ａに触れると（ステップＳＴ２）、タッチモニタ２に内蔵されているタッチセンサ２ａの検知信号を入力することにより、「ま行」と記されている入力項目Ａに対するユーザタッチを検知する（ステップＳＴ３）。
【００１６】
入力候補情報取得部５は、選択項目監視部４が「ま行」と記されている入力項目Ａに対するユーザタッチを検知すると、入力候補情報記憶部１に記憶されている全ての生産者名の中から、頭文字が「ま行」の生産者名を取得する（ステップＳＴ４）。
入力候補情報表示処理部６は、入力候補情報取得部５が頭文字が「ま行」の生産者名を取得すると、頭文字が「ま行」の生産者名をタッチモニタ２のリスト表示領域（２）に表示する（ステップＳＴ５）。
図３の例では、頭文字が「ま行」の生産者名が表示されている。
【００１７】
選択情報監視部７は、作業日誌作成者がタッチモニタ２のリスト表示領域（２）に表示されている生産者名の中から「三菱○○」の生産者名を見つけて、「三菱○○」の生産者名に触れると（ステップＳＴ６）、タッチモニタ２に内蔵されているタッチセンサ２ａの検知信号を入力することにより、「三菱○○」の生産者名に対するユーザタッチを検知する（ステップＳＴ７）。
情報設定処理部８は、選択情報監視部７が「三菱○○」の生産者名に対するユーザタッチを検知すると、「三菱○○」を作業日誌における生産者名に設定し（ステップＳＴ８）、生産者名として「三菱○○」を設定情報記憶部９に記憶する。
なお、情報設定処理部８は、生産者名として「三菱○○」を設定すると、図３の生産者名の表示欄Ｄに「三菱○○」を表示する。
【００１８】
ここでは、作業日誌作成者が「ま行」と記されている入力項目Ａに触れることにより、頭文字が「ま行」の生産者名をタッチモニタ２のリスト表示領域（２）に表示するものについて示したが、作業日誌作成者が「全生産者表示」と記されている入力項目Ｂに触れると、予め登録されている全ての生産者の名前がタッチモニタ２のリスト表示領域（２）に表示される。
この場合、作業日誌作成者がタッチモニタ２のリスト表示領域（２）に表示されている生産者名の中から「三菱○○」の生産者名を見つけて、「三菱○○」の生産者名に触れれば、上記の場合と同様に、「三菱○○」が作業日誌における生産者名に設定される。
【００１９】
また、入力候補情報記憶部１には、生産者コードが生産者名と対にして記憶されているので、作業日誌作成者が生産者コードを指定しても、生産者を設定することができる。
即ち、作業日誌作成者が入力項目Ｃの数字ボタンに触れることにより生産者コードを入力すると、その生産者コードが表示欄Ｄに表示されるとともに、その生産者コードに対応する生産者名が表示欄Ｄに表示され、その生産者名が設定される。
【００２０】
なお、作業日誌作成装置の起動時では、音声ガイドがオフ状態に設定されているが、作業日誌作成者が図３の上部に配置されている「音声ガイド」に触れると、音声ガイドがオン状態に設定されて、音声ガイダンス部１０が入力項目や入力候補情報の選択操作の音声案内を開始する。
即ち、音声ガイダンス部１０は、作業日誌作成者が「音声ガイド」に触れると、入力項目Ａの選択操作を促すために、例えば、「生産者名の頭文字をひらがなボタンで選択して下さい。」などの音声メッセージをスピーカ１１に出力する。
また、音声ガイダンス部１０は、作業日誌作成者が例えば「ま行」と記されている入力項目Ａに触れることにより、頭文字が「ま行」の生産者名がタッチモニタ２のリスト表示領域（２）に表示されると、例えば、「表示されている生産者名の中から、自分の生産者名を見つけて触れて下さい。」などの音声メッセージをスピーカ１１に出力する。
音声ガイダンス部１０は、上記のようにして、「三菱○○」が作業日誌における生産者名に設定されると、作業日誌を作成する作業日誌入力画面に遷移させるため、項目選択領域（１）の下部に配置されている「日誌入力」ボタンに触れることを促す音声メッセージをスピーカ１１に出力する。
【００２１】
入力項目表示処理部３は、作業日誌作成者が項目選択領域（１）に配置されている「日誌入力」ボタンに触れると、図４に示すような作業日誌入力画面をタッチモニタ２に表示する。
この際、入力項目表示処理部３は、作業日誌入力画面における生産者名の表示欄には、先の生産者選択画面で設定された「三菱○○」を表示する。
また、入力項目表示処理部３は、圃場情報を入力する入力項目Ａ、日付を入力する入力項目Ｂ、天気を入力する入力項目Ｃ、最高気温を入力する入力項目Ｄ、最低気温を入力する入力項目Ｅ、作業者を入力する入力項目Ｆ、作業名を入力する入力項目Ｇ、作業時間を入力する入力項目Ｈ、機械名を入力する入力項目Ｉ、作業時間を入力する入力項目Ｊ、目的名を入力する入力項目Ｋ、実施を入力する入力項目Ｌ、効果名を入力する入力項目Ｍ、収穫量を入力する入力項目Ｎ、出荷量を入力する入力項目Ｏなどをタッチモニタ２の項目選択領域（１）に表示する。
【００２２】
作業日誌作成者は、入力項目Ａ〜Ｏに触れることにより、順次、圃場情報、作業名や収穫量などを入力することになるが、例えば、作業日誌作成者が「圃場情報」と記されている入力項目Ａに触れると、選択項目監視部４が、タッチモニタ２に内蔵されているタッチセンサ２ａの検知信号を入力することにより、「圃場情報」と記されている入力項目Ａに対するユーザタッチを検知する。
【００２３】
入力候補情報取得部５は、選択項目監視部４が「圃場情報」と記されている入力項目Ａに対するユーザタッチを検知すると、入力候補情報記憶部１に記憶されている圃場情報（圃場Ｎｏ、作目名、品種、圃場名称）の中から、「三菱○○」が所有している圃場に係る圃場情報を取得する。
例えば、「三菱○○」が８個の圃場を所有していれば、８個の圃場に係る圃場情報が取得される。
ここでは、「三菱○○」が所有している圃場に係る圃場情報を取得する例を示しているが、「三菱○○」が必ずしも圃場の所有権を持っている必要はなく、「三菱○○」が借りている圃場に係る圃場情報を取得するようにしてもよい。
入力候補情報表示処理部６は、入力候補情報取得部５が「三菱○○」が所有している圃場に係る圃場情報を取得すると、「三菱○○」が所有している圃場に係る圃場情報をタッチモニタ２のリスト表示領域（２）に表示する。
【００２４】
選択情報監視部７は、作業日誌作成者がタッチモニタ２のリスト表示領域（２）に表示されている圃場情報の中から、実際に農作業が行われた圃場に係る圃場情報を見つけて、その圃場情報に触れると、タッチモニタ２に内蔵されているタッチセンサ２ａの検知信号を入力することにより、その圃場情報に対するユーザタッチを検知する。
情報設定処理部８は、選択情報監視部７が圃場情報に対するユーザタッチを検知すると、その圃場情報を設定情報記憶部９に設定する。
図４の例では、圃場Ｎｏが“５”の圃場が選択されており、作目名が“米”、品種が“コシヒカリ”、圃場名称が“十五坦の下”の圃場情報が設定されている。
【００２５】
ここでは、作業日誌作成者が「圃場情報」と記されている入力項目Ａに触れることにより、「三菱○○」が所有している圃場に係る圃場情報をタッチモニタ２のリスト表示領域（２）に表示するものについて示したが、作業日誌作成者が「日付」と記されている入力項目Ｂに触れると、カレンダーがタッチモニタ２のリスト表示領域（２）に表示される。
この場合、作業日誌作成者がタッチモニタ２のリスト表示領域（２）に表示されているカレンダーの中から、実際に農作業が行われた日付を見つけて、その日付に触れれば、その日付が作業日誌に設定される。
【００２６】
また、作業日誌作成者が「天気」と記されている入力項目Ｃに触れると、天気名の一覧がタッチモニタ２のリスト表示領域（２）に表示される。
この場合、作業日誌作成者がタッチモニタ２のリスト表示領域（２）に表示されている天気名の一覧の中から、実際に農作業が行われた日の天気名を見つけて、その天気名に触れれば、その天気名が作業日誌に設定される。
【００２７】
作業日誌作成者が「最高気温」や「最低気温」と記されている入力項目Ｄ，Ｅに触れると、図４に示すように、数値の入力を受け付けるテンキーがタッチモニタ２のリスト表示領域（２）に表示される。
この場合、作業日誌作成者がタッチモニタ２のリスト表示領域（２）に表示されているテンキーの数字に触れて、最高気温や最低気温を入力してから「Ｅｎｔｅｒ」に触れると、その最高気温や最低気温が作業日誌に設定される。
【００２８】
また、作業日誌作成者が「作業者」と記されている入力項目Ｆに触れると、予め登録されている作業者の一覧がタッチモニタ２のリスト表示領域（２）に表示される。
この場合、作業日誌作成者がタッチモニタ２のリスト表示領域（２）に表示されている作業者の一覧の中から、実際に農作業を行った作業者を見つけて、その作業者に触れれば、その作業者が作業日誌に設定される。
図４の例では、「三菱△△」と「三菱□□」の２名が作業者に設定されている。
【００２９】
作業日誌作成者が「作業名」「機械名」「目的名」「効果名」「実施」と記されている入力項目Ｇ，Ｉ，Ｋ，Ｍ，Ｌに触れた場合も、「作業者」と記されている入力項目Ｆに触れた場合と同様に、作業名、機械名、目的名、効果名、実施の一覧がタッチモニタ２のリスト表示領域（２）に表示される。
この場合、作業日誌作成者がタッチモニタ２のリスト表示領域（２）に表示されている一覧の中から、実際の農作業に係る作業名、機械名、目的名、効果名、実施を見つけて、その作業名、機械名、目的名、効果名、実施に触れれば、その作業名、機械名、目的名、効果名、実施が作業日誌に設定される。
【００３０】
また、作業日誌作成者が「作業時間」「収穫量」「出荷量」と記されている入力項目Ｈ，Ｊ，Ｎ，Ｏに触れた場合も、「最高気温」と記されている入力項目Ｄに触れた場合と同様に、数値の入力を受け付けるテンキーがタッチモニタ２のリスト表示領域（２）に表示される。
この場合、作業日誌作成者がタッチモニタ２のリスト表示領域（２）に表示されているテンキーの数字に触れて、作業時間、収穫量や出荷量を入力してから「Ｅｎｔｅｒ」に触れると、その作業時間、収穫量や出荷量が作業日誌に設定される。
【００３１】
なお、作業日誌作成者が作業日誌入力画面の上部に配置されている「音声ガイド」に触れると、作業者選択画面上で「音声ガイド」に触れた場合と同様に、音声ガイダンス部１０が入力項目や入力候補情報の選択操作の音声案内を開始する。
即ち、音声ガイダンス部１０は、入力項目Ａ〜Ｏに触れることを促す音声メッセージや、タッチモニタ２のリスト表示領域（２）に表示されている一覧の中から選択を促す音声メッセージや、そのリスト表示領域（２）に表示されているテンキーを使用して数値の入力を促す音声メッセージをスピーカ１１に出力する。
音声ガイダンス部１０は、上記のようにして、圃場情報や作業名等の設定が完了すると、使用資材を入力する使用資材入力画面に遷移させるため、項目選択領域（１）の下部に配置されている「資材入力」ボタンに触れることを促す音声メッセージをスピーカ１１に出力する。
【００３２】
入力項目表示処理部３は、作業日誌作成者が項目選択領域（１）の下部に配置されている「資材入力」ボタンに触れると、図５に示すような使用資材入力画面をタッチモニタ２に表示する。
この際、入力項目表示処理部３は、使用資材入力画面における生産者名、圃場Ｎｏ、作目名、品種、圃場名称の表示欄には、先の生産者選択画面及び作業日誌入力画面で設定された内容を表示する。
また、入力項目表示処理部３は、資材区分を入力する入力項目Ａ、資材名を入力する入力項目Ｂ、散布量を入力する入力項目Ｃ、単位を入力する入力項目Ｄ、希釈倍率を入力する入力項目Ｅなどをタッチモニタ２の項目選択領域（１）に表示する。
【００３３】
作業日誌作成者は、入力項目Ａ〜Ｅに触れることにより、順次、資材区分、資材名、散布量、単位、希釈倍率などを入力することになるが、例えば、作業日誌作成者が「資材区分」と記されている入力項目Ａに触れると、選択項目監視部４が、タッチモニタ２に内蔵されているタッチセンサ２ａの検知信号を入力することにより、「資材区分」と記されている入力項目Ａに対するユーザタッチを検知する。
【００３４】
入力候補情報取得部５は、選択項目監視部４が「資材区分」と記されている入力項目Ａに対するユーザタッチを検知すると、入力候補情報記憶部１に記憶されている資材区分（例えば、農薬、肥料など）を取得する。
入力候補情報表示処理部６は、入力候補情報取得部５が資材区分（例えば、農薬、肥料など）を取得すると、その資材区分をタッチモニタ２のリスト表示領域（２）に表示する。
選択情報監視部７は、作業日誌作成者がタッチモニタ２のリスト表示領域（２）に表示されている資材区分の中から、実際の農作業で行われた資材区分を見つけて、その資材区分に触れると、タッチモニタ２に内蔵されているタッチセンサ２ａの検知信号を入力することにより、その資材区分に対するユーザタッチを検知する。
情報設定処理部８は、選択情報監視部７が資材区分に対するユーザタッチを検知すると、その資材区分を設定情報記憶部９に設定する。
図５の例では、資材区分として、“農薬”が設定されている。
【００３５】
ここでは、作業日誌作成者が「資材区分」と記されている入力項目Ａに触れることにより、資材区分の一覧をタッチモニタ２のリスト表示領域（２）に表示するものについて示したが、作業日誌作成者が「資材名」と記されている入力項目Ｂに触れると、資材名の一覧がタッチモニタ２のリスト表示領域（２）に表示される。
この場合、作業日誌作成者がタッチモニタ２のリスト表示領域（２）に表示されている資材名の一覧の中から、実際の農作業で使用された資材名（例えば、ザーベックスＳＭ）を見つけて、その資材名に触れれば、その資材名が作業日誌に設定される。
【００３６】
また、作業日誌作成者が「散布量」「単位」「希釈倍率」と記されている入力項目Ｃ，Ｄ，Ｅに触れると、図５に示すように、数値の入力を受け付けるテンキーがタッチモニタ２のリスト表示領域（２）に表示される。
この場合、作業日誌作成者がタッチモニタ２のリスト表示領域（２）に表示されているテンキーの数字に触れて、散布量、単位や希釈倍率を入力してから「Ｅｎｔｅｒ」に触れると、その散布量、単位や希釈倍率が作業日誌に設定される。
【００３７】
なお、作業日誌作成者が使用資材入力画面の上部に配置されている「音声ガイド」に触れると、作業者選択画面上で「音声ガイド」に触れた場合と同様に、音声ガイダンス部１０が入力項目や入力候補情報の選択操作の音声案内を開始する。
即ち、音声ガイダンス部１０は、入力項目Ａ〜Ｅに触れることを促す音声メッセージや、タッチモニタ２のリスト表示領域（２）に表示されている一覧の中から選択を促す音声メッセージや、そのリスト表示領域（２）に表示されているテンキーを使用して数値の入力を促す音声メッセージをスピーカ１１に出力する。
【００３８】
上記のようにして、使用資材の入力が完了したのち、作業日誌入力画面や使用資材入力画面の下部に配置されている「登録」ボタンに触れると、作業者選択画面、作業日誌入力画面及び使用資材入力画面で設定された内容が正式に登録される。
なお、この実施の形態１では、使用資材入力画面で使用資材を入力するものについて示したが、使用資材の入力は必須ではなく、作業者選択画面及び作業日誌入力画面の設定内容のみを登録するようにしてもよい。
【００３９】
以上で明らかなように、この実施の形態１によれば、選択候補監視部４がタッチモニタの項目選択領域（１）に表示されている入力項目に対するユーザタッチを検知すると、入力候補情報記憶部１に記憶されている入力候補情報の中からユーザタッチされた入力項目に対応する入力候補情報を取得する入力候補情報取得部５と、その入力候補情報取得部５により取得された入力候補情報をタッチモニタのリスト表示領域（２）に表示する入力候補情報表示処理部６とを設け、選択情報監視部７がタッチモニタのリスト表示領域（２）に表示されている入力候補情報に対するユーザタッチを検知すると、情報設定処理部８がユーザタッチされた入力候補情報を入力項目に設定するように構成したので、農作物の生産者である作業日誌作成者がパソコンの操作に慣れていない場合でも、作業内容の理解が容易な作業日誌を速やかに作成することができる効果を奏する。
【００４０】
即ち、作業日誌作成者は、パソコンのキーボードやマウスなどのマンマシンインタフェースを操作することなく、単にタッチモニタ２に触れるだけで、作業内容等を入力することができるので、パソコンの操作に慣れていない場合でも、簡単に作業日誌を作成することができる。
また、作業日誌作成装置により作成される作業日誌のフォーマットは、作業日誌作成者が異なる場合でも、常に同じであるため、他の生産者（作業日誌作成者）により作成された作業日誌を見ても、作業内容を容易に理解することができる。
【００４１】
また、この実施の形態１によれば、入力項目及び入力候補情報の選択操作を音声案内する音声ガイダンス部１０を設けるように構成したので、作業日誌作成者が初めて作業内容等を入力する場合でも、簡単に作業内容等を入力することができる効果を奏する。
【００４２】
実施の形態２．
上記実施の形態１では、作業日誌入力画面がタッチモニタ２に表示されると、作業日誌作成者が入力項目Ａ〜Ｏに触れることにより、順次、圃場情報、作業名や収穫量などを入力するものについて示したが、例えば、作業日誌作成者が入力項目Ｂに触れることにより、日付を入力すると、その日付に関連する情報として、その日付の天気や最高気温などをネットワーク（例えば、インターネット）経由で、例えば、公的な機関に設置されているサーバ装置から取得し、その日付の天気や最高気温などを入力項目Ｃ，Ｄなどに設定するようにしてもよい。
この場合、作業日誌作成者が設定する入力項目の数が減少するため、更に効率的に作業日誌を作成することができる効果を奏する。
【００４３】
実施の形態３．
上記実施の形態１では、作業日誌作成装置が入力候補情報記憶部１及び設定情報記憶部９を内蔵しているものについて示したが、図６に示すように、例えば、ＬＡＮなどのネットワークを介して、作業日誌作成装置をパソコンと接続し、パソコンが入力候補情報記憶部１及び設定情報記憶部９を内蔵するようにしてもよい。
ただし、この場合、作業日誌作成装置は、パソコンに内蔵されている入力候補情報記憶部１及び設定情報記憶部９とアクセスできるようにするため、ネットワークインタフェース（例えば、ＬＡＮインタフェース）を備えている必要がある。
【図面の簡単な説明】
【００４４】
【図１】この発明の実施の形態１による作業日誌作成装置を示す構成図である。
【図２】この発明の実施の形態１による作業日誌作成装置の処理内容を示すフローチャートである。
【図３】生産者選択画面を示す説明図である。
【図４】作業日誌入力画面を示す説明図である。
【図５】使用資材入力画面を示す説明図である。
【図６】この発明の実施の形態３による作業日誌作成装置を含むシステムを示す構成図である。
【符号の説明】
【００４５】
１  入力候補情報記憶部（入力候補情報記憶手段）、２  タッチモニタ、２ａ  タッチセンサ、３  入力項目表示処理部（入力項目表示手段）、４  選択項目監視部（入力候補情報取得手段）、５  入力候補情報取得部（入力候補情報取得手段）、６  入力候補情報表示処理部（入力候補情報表示手段）、７  選択情報監視部（情報設定手段）、８  情報設定処理部（情報設定手段）、９  設定情報記憶部（情報設定手段）、１０  音声ガイダンス部（音声ガイダンス手段）、１１  スピーカ（音声ガイダンス手段）。
【図１】
2007199853.tif 000003
【図２】
2007199853.tif 000004
【図３】
2007199853.tif 000005
【図４】
2007199853.tif 000006
【図５】
2007199853.tif 000007
【図６】
2007199853.tif 000008